(57)【要約】      （修正有）【課題】架け渡しベルトの着脱を許容する連結具を簡素な構成で提供する。【解決手段】連結具５０は、第１ベルトが一端側に固定され、第２ベルトが長さ調整可能に他端側に取り付けられる連結具本体１００と、連結具本体に対して着脱可能に設けられ、第１及び第２ベルトとは異方向に延びる第３ベルトが取り付けられるアタッチメント４００を備える。連結具本体が、第１及び第２ベルトの連結方向に沿って延びる被係合部２３０を含み、アタッチメント４００が、その被係合部に対して係脱可能である係合部４３０を含む。被係合部と係合部は、各々、凹部及び凸部の関係にある。被係合部は、連結方向に延びるスリットを介して開口すると共に、連結方向の一方側で開口してアタッチメント用の出入り口となる溝部２３０を含み、係合部は、溝部の出入り口２３１及びスリットを介して溝部内に挿入可能である突起部４３０を含むのが好ましい。【選択図】図１
0003191626.tif 000002
【実用新案登録請求の範囲】
【請求項１】
第１ベルト（１０）と第２ベルト（２０）を連結するための連結具（５０）であって、
前記第１ベルト（１０）が一端側に固定され、前記第２ベルト（２０）が長さ調整可能に他端側に取り付けられる連結具本体（１００）と、
前記連結具本体（１００）に対して着脱可能に設けられ、前記第１ベルト（１０）及び第２ベルト（２０）とは異方向に延びる第３ベルト（３０）が取り付けられるアタッチメント（４００）を備え、
前記連結具本体（１００）が、当該連結具本体（１００）を介した前記第１ベルト（１０）及び第２ベルト（２０）の連結方向に沿って延びる被係合部（２３０、２６０）を含み、前記アタッチメント（４００）が、前記連結具本体（１００）の前記被係合部（２３０）に対して係脱可能である係合部（４３０、４６０）を含む、連結具。
【請求項２】
前記被係合部（２３０）及び前記係合部（４３０）が、各々、凹部及び凸部の関係にある、請求項１に記載の連結具。
【請求項３】
前記被係合部（２３０）が、前記連結具本体（１００）に固定された前記第１ベルト（１０）の幅方向の両側の少なくとも一方に設けられる、請求項１又は２に記載の連結具。
【請求項４】
前記被係合部（２３０）が、前記連結具本体（１００）に固定された前記第１ベルト（１０）の幅方向の両側に設けられる、請求項１乃至３のいずれか一項に記載の連結具。
【請求項５】
前記連結具本体（１００）が前記第１ベルト（１０）の一端側を少なくとも部分的に収容する収容部（２１０）を含み、前記収容部（２１０）に前記被係合部（２３０）が設けられる、請求項１乃至４のいずれか一項に記載の連結具。
【請求項６】
前記被係合部（２３０）は、前記連結方向に延びるスリットを介して開口すると共に、前記連結方向の一方側で開口して前記アタッチメント（４００）用の出入り口（２３１）を提供する溝部（２３０）を含み、
前記係合部（４３０）は、前記溝部（２３０）の前記出入り口（２３１）及び前記スリットを介して前記溝部（２３０）内に挿入可能である突起部（４３０）を含む、請求項１乃至５のいずれか一項に記載の連結具。
【請求項７】
前記突起部（４３０）の断面形状がＴ字状である、請求項６に記載の連結具。
【請求項８】
前記溝部（２３０）の深さが、前記出入り口（２３１）から離間するに応じて浅くなり、
前記突起部（４３０）が、前記溝部（２３０）の深さの減少に同調して一端側から他端側に向かって薄くなる部分（４３１）を含む、請求項６又は７に記載の連結具。
【請求項９】
前記アタッチメント（４００）に設けられる前記第３ベルト（３０）の取付用の第３ベルト取付部（４２０）には、前記被係合部（２３０）と前記係合部（４３０）の係合完了時、前記連結具本体（１００）の被嵌合部（２４０）に対して嵌合する嵌合部（４４０）が設けられる、請求項１乃至８のいずれか一項に記載の連結具。
【請求項１０】
前記連結具本体（１００）に枢動部材（３００）が設けられ、当該枢動部材（３００）に前記第２ベルト（２０）の取付用の第２ベルト取付部（３２０）が設けられる、請求項１乃至９のいずれか一項に記載の連結具。
【請求項１１】
請求項１乃至１０のいずれか一項に記載の連結具の連結具本体（１００）が左右一対の肩ベルト（７２０）の各々に設けられ、前記肩ベルト（７２０）が少なくとも前記第１ベルト（１０）と前記第２ベルト（２０）を含み、左右一対の各連結具本体（１００）に対して前記第３ベルト（３０）が架け渡された左右一対の各アタッチメント（４００）を装着可能である、ランドセル。
【考案の詳細な説明】
【技術分野】
【０００１】
本開示は、連結具本体に対してアタッチメントが着脱可能である連結具に関する。
【背景技術】
【０００２】
特許文献１には、縦及び横テープが取り付けられた雌部材（１１）に対して調整テープ（１４）が取り付けられる雄部材（１５）が取り付けられる構成が開示されており、雌部材（１１）に対する雄部材（１５）の装着は、同文献の図８に詳細に開示されている。
【０００３】
特許文献２には、第１連結具（３０）、第２連結具（４０）、及び第３連結具（５０）から構成されるバックルが開示されており、同文献の図２（Ａ）（Ｂ）に図示のように、第３連結具（５０）が、第１連結具の下側係止部（３７）と第２連結具（４０）の上側蓋状部（４７）の間に係止される。
【先行技術文献】
【特許文献】
【０００４】
【特許文献１】特開２０１２−２１０３４３号公報
【特許文献２】特許第４７５０６７７号
【考案の概要】
【考案が解決しようとする課題】
【０００５】
架け渡しベルトの必要性が時間の経過と共に変化する場合がある。例えば、児童用のリュックサックに関しては、児童が低学年のうちはチェストベルトによりリュックサックをしっかりと背負うことを担保することが望ましいが、児童が高学年になれば児童の体格の成長によりチェストベルトが不要になる。
【０００６】
特許文献１及び２に開示の連結具は、架け渡しベルトの着脱を簡素な構成で提供するものではなく、またその着脱操作も簡単なものとは言えない。
【課題を解決するための手段】
【０００７】
本考案の一態様に係る連結具は、第１ベルト（１０）と第２ベルト（２０）を連結するための連結具（５０）である。連結具（５０）は、前記第１ベルト（１０）が一端側に固定され、前記第２ベルト（２０）が長さ調整可能に他端側に取り付けられる連結具本体（１００）と、前記連結具本体（１００）に対して着脱可能に設けられ、前記第１ベルト（１０）及び第２ベルト（２０）とは異方向に延びる第３ベルト（３０）が取り付けられるアタッチメント（４００）を備える。前記連結具本体（１００）が、当該連結具本体（１００）を介した前記第１ベルト（１０）及び第２ベルト（２０）の連結方向に沿って延びる被係合部（２３０）を含み、前記アタッチメント（４００）が、前記連結具本体（１００）の前記被係合部（２３０）に対して係脱可能である係合部（４３０）を含む。
【０００８】
幾つかの形態においては、前記被係合部（２３０）及び前記係合部（４３０）が、各々、凹部及び凸部の関係にある。
【０００９】
幾つかの形態においては、前記被係合部（２３０）が、前記連結具本体（１００）に固定された前記第１ベルト（１０）の幅方向の両側の少なくとも一方に設けられる。
【００１０】
幾つかの形態においては、前記被係合部（２３０）が、前記連結具本体（１００）に固定された前記第１ベルト（１０）の幅方向の両側に設けられる。
【００１１】
幾つかの形態においては、前記連結具本体（１００）が前記第１ベルト（１０）の一端側を少なくとも部分的に収容する収容部（２１０）を含み、前記収容部（２１０）に前記被係合部（２３０）が設けられる。
【００１２】
幾つかの形態においては、前記被係合部（２３０）は、前記連結方向に延びるスリットを介して開口すると共に、前記連結方向の一方側で開口して前記アタッチメント（４００）用の出入り口（２３１）を提供する溝部（２３０）を含み、
前記係合部（４３０）は、前記溝部（２３０）の前記出入り口（２３１）及び前記スリットを介して前記溝部（２３０）内に挿入可能である突起部（４３０）を含む。
【００１３】
幾つかの形態においては、前記突起部（４３０）の断面形状がＴ字状である。
【００１４】
幾つかの形態においては、前記溝部（２３０）の深さが、前記出入り口（２３１）から離間するに応じて浅くなり、
前記突起部（４３０）が、前記溝部（２３０）の深さの減少に同調して一端側から他端側に向かって薄くなる部分（４３１）を含む。
【００１５】
幾つかの形態においては、前記アタッチメント（４００）に設けられる前記第３ベルト（３０）の取付用の第３ベルト取付部（４２０）には、前記被係合部（２３０）と前記係合部（４３０）の係合完了時、前記連結具本体（１００）の被嵌合部（２４０）に対して嵌合する嵌合部（４４０）が設けられる。
【００１６】
幾つかの形態においては、前記連結具本体（１００）に枢動部材（３００）が設けられ、当該枢動部材（３００）に前記第２ベルト（２０）の取付用の第２ベルト取付部（３２０）が設けられる。
【００１７】
本考案の別態様に係るランドセルは、上記いずれかの連結具の連結具本体（１００）が左右一対の肩ベルト（７２０）の各々に設けられ、前記肩ベルト（７２０）が少なくとも前記第１ベルト（１０）と前記第２ベルト（２０）を含み、左右一対の各連結具本体（１００）に対して前記第３ベルト（３０）が架け渡された左右一対の各アタッチメント（４００）を装着可能である。
【考案の効果】
【００１８】
本考案の一側面によれば、架け渡しベルトの着脱を許容する連結具を簡素な構成で提供できる。
【図面の簡単な説明】
【００１９】
【図１】本考案の第１実施形態に係る連結具の分解斜視図である。
【図２】本考案の第１実施形態に係る連結具の正面模式図であり、連結具本体のベルト固定部材を断面視して示し、連結具本体のベルト取付体をベルト固定部材の下に示し、連結具本体に装着されるアタッチメントをベルト固定部材の横に示し、第１ベルト、第２ベルト、及び第３ベルトを破線で示す。
【図３】本考案の第１実施形態に係る連結具の断面模式図であり、連結具本体の収容部に第１ベルトが収容される前の状態、及び連結具本体に枢動部材が取り付けられる前の状態を示す。
【図４】本考案の第１実施形態に係る連結具の断面模式図であり、連結具本体の収容部に第１ベルトが収容された後の状態、及び連結具本体に枢動部材が取り付けられた前の状態を示し、枢動部材に掛けられた第２ベルトを破線で模式的に示す。
【図５】本考案の第１実施形態に係る連結具のアタッチメントが一対用意され、この一対のアタッチメントに第３ベルトが取り付けられた状態を示す模式図である。
【図６】本考案の第１実施形態に係る連結具が左右一対の各肩ベルトに設けられたランドセルの背面を正面視した図であり、左右一対のアタッチメントに掛けられた第３ベルトも併せて図示する。
【図７】本考案の第１実施形態に係る連結具が左右一対の各肩ベルトに設けられたランドセルの背面を正面視した図であり、左右一対の肩ベルトが第３ベルトを介して連結し、左右内側に引かれた状態を示す。
【図８】本考案の第１実施形態に係る連結具の正面模式図である。
【図９】本考案の第１実施形態に係る連結具の部分拡大図であり、図８の破線円で示した範囲を拡大して示す。
【図１０】本考案の第２実施形態に係る連結具の斜視図である。
【考案を実施するための形態】
【００２０】
以下、図面を参照しつつ、本考案の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２１】
本願においては、方向が図１に示すように定義されて用いられる。上下方向は、連結具本体を介した第１ベルト及び第２ベルトの連結方向に等しい。左右方向は、図７に例示の想定される使用状態における第３ベルトの延在方向に等しい。表裏方向は、上下方向及び左右方向に直交する方向である。以下の本願の説明に照らして、各方向を代替的に定義づけることもできる。
【００２２】
＜第１実施形態＞
図１乃至図９を参照して第１実施形態について説明する。図１は、連結具の分解斜視図である。図２は、連結具の正面模式図であり、連結具本体のベルト固定部材を断面視して示し、連結具本体のベルト取付体をベルト固定部材の下に示し、連結具本体に装着されるアタッチメントをベルト固定部材の横に示し、第１ベルト、第２ベルト、及び第３ベルトを破線で示す。図３は、連結具の断面模式図であり、連結具本体の収容部に第１ベルトが収容される前の状態、及び連結具本体に枢動部材が取り付けられる前の状態を示す。図４は、連結具の断面模式図であり、連結具本体の収容部に第１ベルトが収容された後の状態、及び連結具本体に枢動部材が取り付けられた前の状態を示し、枢動部材に掛けられた第２ベルトを破線で模式的に示す。図５は、連結具のアタッチメントが一対用意され、この一対のアタッチメントに第３ベルトが取り付けられた状態を示す模式図である。図６は、連結具が左右一対の各肩ベルトに設けられたランドセルの背面を正面視した図であり、左右一対のアタッチメントに掛けられた第３ベルトも併せて図示する。図７は、連結具が左右一対の各肩ベルトに設けられたランドセルの背面を正面視した図であり、左右一対の肩ベルトが第３ベルトを介して連結し、左右内側に引かれた状態を示す。図８は、連結具の正面模式図である。図９は、連結具の部分拡大図であり、図８の破線円で示した範囲を拡大して示す。
【００２３】
図１乃至図４に示すように、連結具５０は、第１ベルト１０が一端側に固定され、第２ベルト２０が長さ調整可能に他端側に取り付けられた連結具本体１００を有し、更に、連結具本体１００に対して着脱可能であり、第３ベルト３０が取り付けられるアタッチメント４００を有する。連結具本体１００に第１ベルト１０が固定され、第２ベルト２０が長さ調整可能に取り付けられ、これにより連結具本体１００を介した第１ベルト１０と第２ベルト２０の上下方向の連結が確保される。連結具本体１００に対してアタッチメント４００が装着される時、第３ベルト３０は、第１ベルト１０や第２ベルト２０とは異なり、左右方向に延びる。連結具本体１００及びアタッチメント４００は、各々、樹脂材料を金型成形することにより量産される。もちろん、いずれか一方を金属製とし、若しくは両方を金属製としても構わない。いずれか一方、若しくは両方を樹脂と金属の複合材としても良い。
【００２４】
第１ベルト１０は、ベルト幅Ｗ１０の固定長の縦ベルトであり、第２ベルト２０は、ベルト幅Ｗ２０の可変長の縦ベルトであり、各々、同一又は異なる任意の材料から構成される。例えば、第１ベルト１０は、外皮の皮革とその内側の芯材を含み、剛質に構成される。第２ベルト２０は、外皮の皮革とその内側の芯材を含み、第１ベルト１０よりも軟質に構成される。第３ベルト３０は、ベルト幅Ｗ３０の固定長の横ベルトであり、第１ベルト１０や第２ベルト２０と同一又は異なる任意の材質から構成される。一形態においては、第３ベルト３０が伸縮性を有し、一例のランドセルとしての使用状態にて左右の肩ベルト同士を引き寄せることができる。第３ベルト３０は、チェストベルトとも呼ばれる。第３ベルト３０に１以上のバックルを設け、第３ベルト３０を分断可能にしても良い。各ベルトのベルト幅は、例えば、Ｗ１０＝Ｗ２０＞Ｗ３０の関係にある。
【００２５】
連結具本体１００は、ベルト固定部材２００とベルト取付体３００に分割して設けられ、ベルト取付体３００がベルト固定部材２００により枢支され、ベルト固定部材２００上で約９０°の角度範囲で枢動可能であり、これを枢動部材とも呼ぶ。ベルト固定部材２００に対して第１ベルト１０が強固に固定され、ベルト取付体３００に対して第２ベルト２０が長さ調整可能な態様で取り付けられる。ベルト取付体３００がベルト固定部材２００に対して枢動可能であるため、ベルト取付体３００を斜めに起こした状態で第２ベルト２０の長さ調整ができ、効果的に操作性が高められる。
【００２６】
ベルト固定部材２００に対する第１ベルト１０の固定方法は任意であるが、図示の例示の形態においては、ベルト固定部材２００に収容部２１０が設けられ、収容部２１０内で第１ベルト１０を止具５００、６００で強固定する。第１ベルト１０は、一形態においては、ある程度の可撓性を有するが、撓みにくい剛質も有する。この場合、収容部２１０は、必ずしも第１ベルト１０の端部の全周を包囲する必要はなく、第１ベルト１０の５つの面（表面、裏面、右側面、左側面、及び端面）のうち２つ、３つに支持するような構成も取り得る。
【００２７】
詳細に説明すれば、図示の例示の収容部２１０は、一対の主平板２１１、２１２が表裏方向にて対向し、更に一対の側部２１３、２１４が左右方向にて対向し、一つの底板２１５により下方から閉じられた扁平な箱部である。なお、側部は、後述の溝部を含む部分である。主平板２１１、２１２は、第１ベルト１０及び第２ベルト２０の各幅よりも大きい左右幅を有する。側部２１３、２１４は、第１ベルト１０及び第２ベルト２０の各厚みよりも大きい表裏厚を有する。収容部２１０の上端には第１ベルト１０を収容部２１０の収容空間へ入れるための矩形状の開口２１６が設けられる。収容部２１０は、全体として丸みを帯びた外周の形状を有している。
【００２８】
収容部２１０の表側主平板２１１には左右一対の円形状の表側孔２１７が貫通して設けられ、裏側主平板２１２にも左右一対の円形状の裏側孔２１８が貫通して設けられ、各表側孔２１７と各裏側孔２１８が同軸上に設けられる。収容部２１０に第１ベルト１０の下端を挿入した状態で、表側孔２１７に表側止具５００が挿入され、裏側孔２１８に裏側止具６００が挿入され、同軸上にある第１ベルト１０の固定用孔１１内にて表側止具５００と裏側止具６００が結合し、これにより、ベルト固定部材２００に対する第１ベルト１０の固定が完了する。表側止具５００の軸部の軸芯部には、裏側止具６００の軸部の径よりも僅かに狭い径の孔が設けられる。表側止具５００の軸部の孔に裏側止具６００の軸部を圧入することで両者が実際上分離不能に強固に結合する。収容部２１０内に接着剤を塗布し、収容部２１０と第１ベルト１０同士を直接的に固着させても構わない。ボルト及びナットを表側止具及び裏側止具として用いても構わない。
【００２９】
ベルト固定部材２００には、上述の収容部２１０に加えて、収容部２１０の下方に設けられてベルト取付体３００と共に第２ベルト２０を挟み込む枠部２２０が設けられる。枠部２２０の具体的な構成は任意であり、必ずしも枠状の部分に限らず、また閉じた枠や部分的に開いた枠であっても構わない。枠部２２０の十分な強度を確保する観点からは、図示の例示の形態のように閉じた枠とすることが望ましい。
【００３０】
詳細に説明すれば、ベルト固定部材２００の枠部２２０は、収容部２１０の下端から左右に間隔をあけて平行に延びた一対の脚部２２１と、各脚部２２１の下端の間を連結する連結棹２２２を含む。各脚部２２１の上部は収容部２１０の厚みに近い肉厚に設定され、各脚部２２１の下部はベルト取付体３００の厚み分だけ厚みが薄い。各脚部２２１の上部には、ベルト取付体３００の枢支用の枢支用凹部２２５が設けられ、また枢支用凹部２２５へ後述の軸部３４０を案内するための傾斜面２２８が設けられる。枠部２２０の枠内には、各枢支用凹部２２５に隣接してベルト取付体３００の枢動を補助する補助板２２３が設けられる。脚部２２１の下部には、ベルト取付体３００の載置に適するように平坦に構成された載置面２２１ａが設けられる。連結棹２２２は、ベルト取付体３００に掛けられた第２ベルト２０をベルト取付体３００との間で挟むために、左右方向に直線的に延び、左右の脚部２２１の下端部同士を連結する。
【００３１】
ベルト取付体３００は、平板状の枠部３１０内にベルト取付用の第１棹３２０と非ベルト取付用の第２棹３３０が架けられた構成を含み、枠部３１０内には３つの開口が形成される。第１棹３２０は、第２ベルト取付部の一例である。ベルト取付体３００の基端部３０１には、同軸上に配された円柱形状の一対の軸部３４０が設けられる。ベルト取付体３００の自由端部３０２は、ヒトにより把持される把持部である。
【００３２】
各軸部３４０がベルト固定部材２００の枢支用凹部２２５に嵌合され、左右の枢支用凹部２２５を結ぶように延びる枢動軸周りに枢動できる。各軸部３４０には、その先端側の外周縁が欠いて形成された傾斜面３４５が設けられる。軸部３４０は、脚部２２１の傾斜面２２８と枢支用凹部２２５の間の山部を乗り越え、枢支用凹部２２５に案内される。傾斜面３４５の存在により、この乗り越えが促進される。
【００３３】
ベルト取付体３００がベルト固定部材２００の収容部２１０の底板２１５に衝突することにより枠部２２０との関係で起きる方向のベルト取付体３００の枢動の限界が定められる。ベルト取付体３００がベルト固定部材２００の枠部２２０上に倒伏した位置が、枠部２２０との関係で寝る方向のベルト取付体３００の枢動の限界である。
【００３４】
アタッチメント４００が連結具本体１００に対して着脱可能であり、例示の図示の場合、ベルト固定部材２００の収容部２１０に対して着脱可能である。アタッチメント４００は、第３ベルト３０が取り付けられる上下方向に長尺のベルト取付部（第３ベルト取付部）４２０を有し、更に、連結具本体１００に設けられる被係合部に対して係合する係合部を有する。連結具本体１００に設けられる被係合部は、例示の図示の場合、溝部２３０である。アタッチメント４００に設けられる係合部は、例示の図示の場合、突起部４３０である。
【００３５】
被係合部の溝部２３０は、連結具本体１００のベルト固定部材２００の収容部２１０に設けられ、第１ベルト１０と第２ベルト２０の連結方向に等しい上下方向に延びる。他方、係合部の突起部４３０は、アタッチメント４００のベルト取付部４２０に連結し、溝部２３０と同様に所定方向、例えば図１及び図２に示す姿勢では上下方向に直線的に延びる。
【００３６】
連結具本体１００の溝部２３０が、第１ベルト１０と第２ベルト２０の連結方向に沿って延びることに実際のメリットがある。例えば、第１ベルト１０と第２ベルト２０を縦に延ばし第３ベルト３０を横に延ばすに際して、上述の構成によれば、アタッチメント４００の突起部４３０とアタッチメント４００のベルト取付部４２０が平行に延びる形態が許容される。アタッチメント４００は、あくまで付加的な部材である。本構成によれば、アタッチメント４００の大型化やその複雑化が好適に回避される。アタッチメント４００に対して第３ベルト３０が掛けられた時、アタッチメント４００は、第３ベルト３０の端部に存在する小サイズの部材であるとの利点も有する。比較のために述べれば、溝部２３０が左右方向に延びる場合、アタッチメント４００の突起部４３０とベルト取付部４２０がクロスして十字状に構成されてしまう。
【００３７】
連結具本体１００の被係合部が凹部の溝部２３０として構成され、アタッチメント４００の係合部が凸部の突起部４３０として構成されることにも追加のメリットがある。もちろん、連結具本体１００の被係合部を凸部とし、アタッチメント４００の係合部を凹部としても良いが、連結具本体１００の被係合部を凹部とし、アタッチメント４００の係合部を凸部とすれば、アタッチメント４００を使用しない時若しくはアタッチメント４００が不要になった時、連結具本体１００に凸部が残存せず、連結具本体１００の外周をより滑らかにできる。ランドセル用途においては、児童が高学年に進むと、チェストベルトが不要になることが予期される。従って、アタッチメント４００を差し込まなくても連結具本体１００が滑らかな形態を持つことは有利である。
【００３８】
ベルト固定部材２００に対して第１ベルト１０が固定された状態において第１ベルト１０の幅方向（左右方向に一致）の両側の少なくとも一方に被係合部の溝部２３０が設けられることにも追加のメリットがある。例えば、第１ベルト１０と第２ベルト２０を縦に延ばし第３ベルト３０を横に延ばすに際して、上述の構成によれば、第１ベルト１０と第２ベルト２０が存在する平面と同じ若しくは近い平面に第３ベルト３０を配することができ、第３ベルト３０が連結具本体１００を介して第１ベルト１０及び第２ベルト２０に与える力のかかり方が最適化される。例示の図示の場合、ベルト固定部材２００の最も厚い部分を被係合部の配置用に用いることができ、ベルト固定部材２００の厚みの増加を伴わず、被係合部と係合部の間の十分な連結強度を確保することに資する。更に、図示の例示の形態においては、第１ベルト１０の幅方向両側に溝部２３０が設けられ、これにより、同一の連結具５０を左右両方の肩ベルトに用いることができる。
【００３９】
以下、より詳細に説明する。ベルト固定部材２００の溝部２３０は、収容部２１０の各側部２１３、２１４に設けられる。溝部２３０は、アタッチメント４００を溝部２３０内に導入及び導出するための出入り口２３１を上端に有し、その上端から下方に向けてスリット２３３を介して左又は右方向に開口しながら直線的に延びる。
【００４０】
スリット２３３は、表裏から突出して対向する縁部２３４により定められるスリット幅を有する。換言すれば、スリット２３３は、表裏両側の縁部２３４の間隔に等しいスリット幅を有する。スリット幅は、スリット２３３が下方に向かうに従って狭くなる。つまり、スリット２３３は、出入り口２３１側でスリット幅が広く、スリット２３３の終端側でスリット幅が狭い。溝部２３０の底面２３２は、溝部２３０の上端から下端に向かい緩慢に傾斜してスリット２３３に接近する。つまり、溝部２３０は上端のほうが深く、下端のほうが浅く構成される。このような構成においては、溝部２３０に対する突起部４３０の係脱のためのアタッチメント４００のスライド操作が行いやすくなる。また、溝部２３０と突起部４３０の密着の度合いが高まり、その間の係合力が高められる。
【００４１】
滑らかな曲面の主平板２１１の外面の左右端に連続して縁部２３４の外面も滑らかな曲面として連続し、これにより、溝部２３０が設けられた側部２１３、２１４の外面が滑らかな曲面、端的には円弧状に構成される。側部２１３、２１４の外面には、アタッチメント４００のベルト取付部４２０の円弧状の滑らかな接触面が接触し、これによりベルト固定部材２００に対するアタッチメント４００の密着が確保される。
【００４２】
アタッチメント４００の突起部４３０は、溝部２３０の漸次の深さ減少に同調して上端から下端に向かって肉厚が薄くなる表裏に突出した頭部４３１を含む。なお、溝部２３０の深さは、図１に示した左右方向における溝部２３０の深さである。溝部２３０は、表裏方向において所定の幅を有し、上下方向において所定の長さを有する。更に、突起部４３０は、溝部２３０のスリット２３３に配される首部４３２を含む。頭部４３１は、首部４３２を介してベルト取付部４２０に対して結合する。突起部４３０は、断面視Ｔ字状である。別形態においては、突起部４３０は、断面視Ｌ字状などの他の形態を有する。
【００４３】
ベルト取付部４２０は、突起部４３０と平行に横並びに設けられる。ベルト取付部４２０は、第３ベルト３０を巻き付けることができるように上下方向に長い枠部を含み、枠部の開口に第３ベルト３０が通される。ベルト取付部４２０は、突起部４３０と比較して下方まで延設されており、突起部４３０が設けられていないベルト取付部４２０の下端部４２５には凹状の嵌合部４４０が設けられる。凹状の嵌合部４４０は、溝部２３０への突起部４３０の挿入が完了する時、脚部２２１に設けられた凸状の被嵌合部２４０に嵌合可能である。この点は、図８及び図９に端的に図示される。溝部２３０に対して突起部４３０が差し込み完了した時、収容部２１０の側部２１４と、ベルト取付部４２０の下端部４２５の間にはクリアランスＷ４０が設けられ、被嵌合部２４０と嵌合部４４０の間の嵌合が好適に確保される。
【００４４】
アタッチメント４００に対して第３ベルト３０を通した状態が図５に例示的に示される。別形態においては、第３ベルト３０の一端のみアタッチメント４００を設けられ、第３ベルト３０の他端が第１ベルト１０、第２ベルト２０又は別の連結具５０に取り付けられる。
【００４５】
図６及び図７に示すようにランドセル７００は、ランドセル本体７１０、左右一対の肩ベルト７２０を具備する。各肩ベルト７２０は、上下に延びる第１ベルト１０及び第２ベルト２０を含み、これらが連結具５０の連結具本体１００を介して結合している。第１ベルト１０の基端はランドセル本体７１０に任意の手段（止具、接着、縫付等）により固定され、その自由端側が連結具本体１００のベルト固定部材２００に止具により固定される。もちろん、止具以外の固定手段、例えば、接着等を用いてベルト固定部材２００に対して第１ベルト１０を固定しても良い。第２ベルト２０の基端はランドセル本体７１０に任意の手段により固定され、その自由端側においてベルト取付体３００の第一棹３２０に巻き掛けられている。ベルト取付体３００に対する第２ベルト２０の自由端の距離を調整することで肩ベルト７２０の長さ調整が可能である。
【００４６】
第３ベルト３０の左端側のアタッチメント４００を左側の連結具本体１００の溝部２３０に差し込み、アタッチメント４００を下方にスライドさせ、これにより、溝部２３０への突起部４３０の挿入が完了する。第３ベルト３０の右端側のアタッチメント４００を右側の連結具本体１００の溝部２３０に差し込み、アタッチメント４００を下方にスライドさせ、これにより、溝部２３０への突起部４３０の挿入が完了する。上述のように、スリット２３３のスリット幅は、スリット２３３が下方に向かうに従って狭くなる。また、溝部２３０は上端のほうが深く、下端のほうが浅く構成される。これによりアタッチメント４００の挿入が促進される。アタッチメント４００の取り外しに関しても同様である。これらの各作業により、左右の肩ベルト７２０が、左右に延びる第３ベルト３０を介して結合できる。
【００４７】
図８に示す時、仮にアタッチメント４００を右側に変位させるように第３ベルト３０を右側に引っ張ったとしても、アタッチメント４００の突起部４３０の頭部４３１が、溝部２３０の表裏両側の縁部２３４により制止され、溝部２３０からの突起部４３０の離脱が阻止される。溝部２３０からの突起部４３０の離脱は、溝部２３０に設けられた出入り口２３１を介してのみ可能である。
【００４８】
上述のように、アタッチメント４００の凹状の嵌合部４４０は、溝部２３０への突起部４３０の挿入が完了する時、脚部２２１に設けられた凸状の被嵌合部２４０に嵌合可能であり、アタッチメント４００の抜け止めが確保される。つまり、第３ベルト３０が上方へ引っ張られ、アタッチメント４００を上方へ移動しようとしても、アタッチメント４００の嵌合部４４０と連結具本体１００の被嵌合部２４０の嵌合により阻止される。もちろん、嵌合部４４０を凸部とし、被嵌合部２４０を凹部としても良い。
【００４９】
図示の例示のランドセル７００によれば、サイズが大きいランドセルを低学年の児童が背負う場合でも左右の肩ベルト７２０の間隔が第３ベルト３０のおかげで狭まり、よりしっかりとしたランドセルの背負いを確保することができる。しっかりとしたランドセルの背負いは、ランドセルを背負った児童の重心の安定化を図ることができる。
【００５０】
＜第２実施形態＞
図１０を参照して第２実施形態について説明する。図１０は、連結具の斜視図である。本実施形態においては、第１実施形態と比較して、連結具本体１００の被係合部とアタッチメント４００の係合部の凸凹の関係が反転している。このような場合においても第１実施形態と同様の効果を得ることができる。
【００５１】
図１０に示すように、凹部の係合部の溝部４６０がアタッチメント４００に設けられる。溝部４６０は、上下端において開口し、上端と下端の間でスリットを介して左又は右方向に開口しながら直線的に延びる。凸部の被係合部の突起部２６０が収容部２１０の側部２１３、２１４に設けられる。突起部２６０は、表裏に突出した頭部と、溝部４６０のスリットに配される首部を含む。第１実施形態と同様、突起部２６０に対して溝部４６０をスライド係合させ、これにより、連結具本体１００に対するアタッチメント４００の装着が確保される。
【００５２】
連結具本体１００の被嵌合部２４０’が凹部であり、アタッチメント４００の嵌合部４４０’が凸部であるが、この場合も、第１実施形態と同様の効果を得ることができる。
【００５３】
上述の教示を踏まえると、当業者をすれば、各実施形態に対して様々な変更を加えることができる。実用新案登録請求の範囲に盛り込まれた符号は、参考のためであり、請求の範囲を限定解釈する目的で参照されるべきものではない。
【符号の説明】
【００５４】
５０      連結具
１００    連結具本体
２００      ベルト固定部材
２１０      収容部
２２０      枠部
２３０      溝部（被係合部）
３００      ベルト取付体(枢動部材)
４００      アタッチメント
４３０      突起部（係合部）
４３１      頭部
４３２      首部
【図１】
0003191626.tif 000003
【図２】
0003191626.tif 000004
【図３】
0003191626.tif 000005
【図４】
0003191626.tif 000006
【図５】
0003191626.tif 000007
【図６】
0003191626.tif 000008
【図７】
0003191626.tif 000009
【図８】
0003191626.tif 000010
【図９】
0003191626.tif 000011
【図１０】
0003191626.tif 000012